【手続補正書】
【提出日】平成18年9月12日(2006.9.12)
【手続補正１】
【補正対象書類名】特許請求の範囲
【補正対象項目名】全文
【補正方法】変更
【補正の内容】
【特許請求の範囲】
【請求項１】
光源および約４ミリメートルまたは１２ミリメートルの長さの光ファイバを有する光伝達装置を含む光映写部と、
該光映写部から映写される光を変調する変調部と、
前記光映写部から映写される光を複数の方向へ振動させる発振部と
を備え、
前記発信部は、前記光映写部を第１の方向および前記第１の方向に直交する第２の方向に動かすことを特徴とする映写ディスプレー。
【請求項２】
前記発振部は、
前記光映写部をＸ方向に振動させる第１の振動部と、
前記光映写部をＹ方向に振動させる第２の振動部と
を含むことを特徴とする請求項１に記載の映写ディスプレー。
【請求項３】
前記第２の振動部は、前記光映写部を約８０Ｈｚの周波数で振動させることを特徴とする請求項２に記載の映写ディスプレー。
【請求項４】
前記第１の振動部は、約４．５ｋＨｚから５ｋＨｚの周波数で前記光映写部を振動させることを特徴とする請求項２または３に記載の映写ディスプレー。
【請求項５】
前記発信部は、
前記光映写部を軸について回転させる回転装置と、
前記光映写部を前記軸と遠近方向に振動させる振動部と
を含むことを特徴とする請求項１に記載の映写ディスプレー。
【請求項６】
光映写部と、
該光映写部から映写される光を変調する変調部と、
前記光映写部から映写される光を複数の方向へ振動させる発振部であって、前記光映写部を第１の方向および前記第１の方向に直交する第２の方向に動かす、約４．５ｋＨｚから５ｋＨｚの周波数で前記光映写部をＸ方向に振動させる第１の振動部および前記光映写部をＹ方向に振動させる第２の振動部を含む発振部と
を備えたことを特徴とする映写ディスプレー。
【請求項７】
前記第２の振動部は、前記光映写部を約８０Ｈｚの周波数で振動させることを特徴とする請求項６に記載の映写ディスプレー。
【請求項８】
光映写部と、
該光映写部から映写される光を変調する変調部と、
前記光映写部から映写される光を複数の方向へ振動させる発振部と
を備え、
前記発信部は、前記光映写部を軸について回転させる回転装置および前記光映写部を前記軸と遠近方向に振動させる振動部を含み、前記光映写部を第１の方向および前記第１の方向に直交する第２の方向に動かすことを特徴とする映写ディスプレー。
【請求項９】
前記振動部は、圧電発振器を含むことを特徴とする請求項２，６または８に記載の映写ディスプレー。
【請求項１０】
前記光映写部の近傍に配置される筆記手段をさらに備えたことを特徴とする請求項１，６または８に記載の映写ディスプレー。
【請求項１１】
光映写部と、
該光映写部から映写される光を変調する変調部と、
前記光映写部から映写される光を複数の方向へ振動させる発振部であって、前記光映写部を第１の方向および前記第１の方向に直交する第２の方向に動かす発信部と、
前記光映写部の近傍に配置される筆記手段と
を備えたことを特徴とする映写ディスプレー。
【請求項１２】
前記光映写部は、光源および光伝達装置を含むことを特徴とする請求項６，８または１１に記載の映写ディスプレー。
【請求項１３】
前記光伝達装置は光ファイバを含むことを特徴とする請求項１２に記載の映写ディスプレー。
【請求項１４】
前記光ファイバは約４ミリメートルまたは１２ミリメートルの長さを有することを特徴とする請求項１３に記載の映写ディスプレー。
【請求項１５】
前記発信部は、前記光映写部をＸ方向に振動させる第１の振動部および前記光映写部をＹ方向に振動させる第２の振動部を含むことを特徴とする請求項１１に記載の映写ディスプレー。
【請求項１６】
前記第１の振動部は、約４．５ｋＨｚから５ｋＨｚの周波数で前記光映写部を振動させることを特徴とする請求項１５に記載の映写ディスプレー。
【請求項１７】
前記第２の振動部は、前記光映写部を約８０Ｈｚの周波数で振動させることを特徴とする請求項１５または１６に記載の映写ディスプレー。
【請求項１８】
前記発信部は、
前記光映写部を軸について回転させる回転装置と、
前記光映写部を前記軸と遠近方向に振動させる振動部と
を含むことを特徴とする請求項１１に記載の映写ディスプレー。
【請求項１９】
光源および光伝達装置を含む光映写部と、
該光映写部から映写される光を変調する変調部と、
前記光映写部から映写される光を複数の方向へ振動させる発振部であって、前記光映写部をＸ方向に振動させる第１の振動部および前記光映写部をＹ方向に振動させる第２の振動部を含み、前記光映写部を第１の方向および前記第１の方向に直交する第２の方向に動かす発信部と、
前記光映写部の近傍に配置される筆記手段と
を備えたことを特徴とする映写ディスプレー。
【請求項２０】
前記光伝達装置は、約４ミリメートルまたは１２ミリメートルの長さの光ファイバであり、
前記第１の振動部は、前記光映写部を４．５ｋＨｚから５ｋＨｚの周波数で振動させ、
前記第２の振動部は、前記光映写部を約８０Ｈｚの周波数で振動させる
ことを特徴とする請求項１９に記載の映写ディスプレー。
【請求項２１】
前記第１および第２の振動部は、圧電発振器を含むことを特徴とする請求項１５または１９に記載の映写ディスプレー。
【請求項２２】
前記光源は、レーザダイオードであることを特徴とする請求項１，１２または１９に記載の映写ディスプレー。
【請求項２３】
前記光源は、レーザ、発光ダイオード、白熱光および蛍光からなるグループから選択されることを特徴とする請求項１，１２または１９に記載の映写ディスプレー。
【請求項２４】
前記変調部は、前記光映写部により生成される光を変調することを特徴とする請求項１，６，８，１１または１９に記載の映写ディスプレー。
【請求項２５】
前記変調部は、前記光映写部により伝達される光を変調することを特徴とする請求項１，６，８，１１または１９に記載の映写ディスプレー。
【請求項２６】
前記筆記手段は、インク式ペンまたはグラフィックタブレットに用いるスタイラスであることを特徴とする請求項１０，１１または１９に記載の映写ディスプレー。
【請求項２７】
第１の光源および約４ミリメートルから１２ミリメートルの長さの第１の光ファイバを有する第１の光伝達装置を含む、第１の色の光を映写する第１の光映写部と、
前記第１の光映写部から映写される光を変調する第１の変調部と、
第２の光源および約４ミリメートルから１２ミリメートルの長さの第２の光ファイバを有する第２の光伝達装置を含む、第２の色の光を映写する第２の光映写部と、
前記第２の光映写部から映写される光を変調する第２の変調部と、
前記第１の光映写部および前記第２の光映写部から映写される前記光を第１の方向および第１の方向に直交する第２の方向に動かすための少なくとも一つの発振部と
を備えたことを特徴とする映写ディスプレー。
【請求項２８】
前記少なくとも一つの発振部は、
前記第１の光映写部および前記第２の光映写部の双光映写部をＸ方向に振動する第１の振動部と、
前記第１の光映写部および前記第２の光映写部の双光映写部をＹ方向に振動する第２の振動部と
を含むことを特徴とする請求項２７に記載の映写ディスプレー。
【請求項２９】
前記少なくとも一つの発振部は、
前記第１の光映写部から映写される前記光を複数の方向に動かす第１の発信部と、
前記第２の光映写部から映写される前記光を複数の方向に動かす第２の発振部と
を含むことを特徴とする請求項２７に記載の映写ディスプレー。
【請求項３０】
前記少なくとも一つの発振部は、
前記第１の光映写部および前記第２の光映写部を軸について回転させる回転装置と、
前記第１の光映写部および前記第２の光映写部の双光映写部を前記軸と遠近方向に振動させる振動部と
を含むことを特徴とする請求項２７に記載の映写ディスプレー。
【請求項３１】
前記第１の発振部は、
前記第１の光映写部をＸ方向に振動させる第１の振動部と、
前記第１の光映写部をＹ方向に振動させる第２の振動部と
を含み、
前記第２の発信部は、
前記第２の光映写部をＸ方向に振動させる第３の振動部と、
前記第２の光映写部をＹ方向に振動させる第４の振動部と
を含むことを特徴とする請求項２９に記載の映写ディスプレー。
【請求項３２】
前記第１の発振部は、
前記第１の光映写部を第１の軸について回転させる第１の回転装置と、
前記第１の光映写部を前記第１の軸と遠近方向に振動させる第１の振動部と
を含み、
前記第２の発信部は、
前記第２の光映写部を第２の軸について回転させる第２の回転装置と、
前記第２の光映写部を前記第２の軸と遠近方向に振動させる第２の振動部と
を含むことを特徴とする請求項２９に記載の映写ディスプレー。
【請求項３３】
第１の色の光を映写する第１の光映写部と、
前記第１の光映写部から映写される光を変調する第１の変調部と、
第２の色の光を映写する第２の光映写部と、
前記第２の光映写部から映写される光を変調する第２の変調部と、
前記第１の光映写部および前記第２の光映写部から映写される前記光を第１の方向および第１の方向に直交する第２の方向に動かすための少なくとも一つの発振部と
を備え、
前記少なくとも一つの発振部は、
前記第１の光映写部および前記第２の光映写部を軸について回転させる回転装置と、
前記第１の光映写部および前記第２の光映写部の双光映写部を前記軸と遠近方向に振動させる振動部と
を含むことを特徴とする映写ディスプレー。
【請求項３４】
第１の色の光を映写する第１の光映写部と、
前記第１の光映写部から映写される光を変調する第１の変調部と、
第２の色の光を映写する第２の光映写部と、
前記第２の光映写部から映写される光を変調する第２の変調部と、
前記第１の光映写部および前記第２の光映写部から映写される前記光を第１の方向および第１の方向に直交する第２の方向に動かすための少なくとも一つの発振部と
を備え、
前記少なくとも一つの発振部は、
前記第１の光映写部をＸ方向に振動させる第１の振動部と、
前記第１の光映写部をＹ方向に振動させる第２の振動部と
を含む、前記第１の光映写部から映写される前記光を複数の方向に動かす第１の発振部と、
前記第２の光映写部をＸ方向に振動させる第３の振動部と、
前記第２の光映写部をＹ方向に振動させる第４の振動部と
を含む、前記第２の光映写部から映写される前記光を複数の方向に動かす第２の発信部と
を含むことを特徴とする映写ディスプレー。
【請求項３５】
第１の色の光を映写する第１の光映写部と、
前記第１の光映写部から映写される光を変調する第１の変調部と、
第２の色の光を映写する第２の光映写部と、
前記第２の光映写部から映写される光を変調する第２の変調部と、
前記第１の光映写部および前記第２の光映写部から映写される前記光を第１の方向および第１の方向に直交する第２の方向に動かすための少なくとも一つの発振部と
を備え、
前記少なくとも一つの発振部は、
前記第１の光映写部を第１の軸について回転させる第１の回転装置と、
前記第１の光映写部を前記第１の軸と遠近方向に振動させる第１の振動部と
を含む、前記第１の光映写部から映写される前記光を複数の方向に動かす第１の発振部と、
前記第２の光映写部を第２の軸について回転させる第２の回転装置と、
前記第２の光映写部を前記第２の軸と遠近方向に振動させる第２の振動部と
を含む、前記第２の光映写部から映写される前記光を複数の方向に動かす第２の発信部と
を含むことを特徴とする映写ディスプレー。
【請求項３６】
第１の色の光を映写する第１の光映写部と、
前記第１の光映写部から映写される光を変調する第１の変調部と、
第２の色の光を映写する第２の光映写部と、
前記第２の光映写部から映写される光を変調する第２の変調部と、
前記第１の光映写部および前記第２の光映写部から映写される前記光を第１の方向および第１の方向に直交する第２の方向に動かすための少なくとも一つの発振部と、
前記第１の光映写部および前記第２の光映写部の双光映写部の近傍に配置される筆記手段を備えたことを特徴とする映写ディスプレー。
【請求項３７】
前記第１の光映写部は、第１の光源および第１の光伝達装置を含み、
前記第２の光映写部は、第２の光源および第２の光伝達装置を含む
ことを特徴とする請求項３３，３４，３５または３６に記載の映写ディスプレー。
【請求項３８】
前記少なくとも一つの発振部は、前記第１の光映写部および前記第２の光映写部から映写される前記光を複数の方向へ振動させることを特徴とする請求項３６に記載の映写ディスプレー。
【請求項３９】
前記少なくとも一つの発振部は、前記第１の光映写部および前記第２の光映写部の双光映写部を第１の方向および第１の方向に直交する第２の方向に動かすことを特徴とする請求項３８に記載の映写ディスプレー。
【請求項４０】
前記少なくとも一つの発振部は、
前記第１の光映写部および前記第２の光映写部の双光映写部をＸ方向に振動させる第１の振動部と、
前記第１の光映写部および前記第２の光映写部の双光映写部をＹ方向に振動させる第２の振動部と
を含むことを特徴とする請求項３６に記載の映写ディスプレー。
【請求項４１】
前記少なくとも一つの発振部は、
前記第１の光映写部から映写される前記光を複数の方向へ動かす第１の発振部と、
前記第２の光映写部から映写される前記光を複数の方向へ動かす第２の発振部と
を含む
ことを特徴とする請求項３６に記載の映写ディスプレー。
【請求項４２】
前記第１の発振部は、
前記第１の光映写部をＸ方向に振動させる第１の振動部と、
前記第１の光映写部をＹ方向に振動させる第２の振動部と
を含み、
前記第２の発振部は、
前記第２の光映写部をＸ方向に振動させる第３の振動部と、
前記第２の光映写部をＹ方向に振動させる第４の振動部と
を含むことを特徴とする請求項４１に記載の映写ディスプレー。
【請求項４３】
前記第１の発振部は、
前記第１の光映写部を第１の軸について回転させる第１の回転装置と、
前記第１の光映写部を前記第１の軸と遠近方向に振動させる第１の振動部と
を含み、
前記第２の発信部は、
前記第２の光映写部を第２の軸について回転させる第２の回転装置と、
前記第２の光映写部を前記第２の軸と遠近方向に振動させる第２の振動部と
を含むことを特徴とする請求項３６に記載の映写ディスプレー。
【請求項４４】
第１の光源および第１の光伝達装置を含む、第１の色の光を映写する第１の光映写部と、
前記第１の光映写部から映写される光を変調する第１の変調部と、
第２の光源および第２の光伝達装置を含む、第２の色の光を映写する第２の光映写部と、
前記第２の光映写部から映写される光を変調する第２の変調部と、
前記第１の光映写部をＸ方向に振動させる第１の振動部および前記第１の光映写部をＹ方向に振動させる第２の振動部を含み、前記第１の光映写部から映写される前記光を複数の方向に動かす第１の発信部と、
前記第２の光映写部をＸ方向に振動させる第３の振動部および前記第２の光映写部をＹ方向に振動させる第４の振動部を含み、前記第２の光映写部から映写される前記光を複数の方向に動かす第２の発振部と
を備えたことを特徴とする映写ディスプレー。
【請求項４５】
第１の光源および第１の光伝達装置を含む、第１の色の光を映写する第１の光映写部と、
前記第１の光映写部から映写される光を変調する第１の変調部と、
第２の光源および第２の光伝達装置を含む、第２の色の光を映写する第２の光映写部と、
前記第２の光映写部から映写される光を変調する第２の変調部と、
前記第１の光映写部を第１の軸について回転させる第１の回転装置および前記第１の光映写部を前記第１の軸と遠近方向に振動させる第１の振動部を含み、前記第１の光映写部から映写される前記光を複数の方向に動かす第１の発信部と、
前記第２の光映写部を第２の軸について回転させる第２の回転装置および前記第２の光映写部を前記第２の軸と遠近方向に振動させる第２の振動部を含み、前記第２の光映写部から映写される前記光を複数の方向に動かす第２の発振部と
を備えたことを特徴とする映写ディスプレー。
【請求項４６】
前記第１の光伝達装置は、第１の光ファイバを含み、
前記第２の光伝達装置は、第２の光ファイバを含む
ことを特徴とする請求項３７，４４または４５に記載の映写ディスプレー。
【請求項４７】
前記第１の光ファイバおよび前記第２の光ファイバの双光ファイバは、約４ミリメートルから１２ミリメートルの長さを有することを特徴とする請求項４６に記載の映写ディスプレー。
【請求項４８】
前記第１の光源および前記第２の光源は、レーザ、発光ダイオード、白熱光および蛍光からなるグループから選択されることを特徴とする請求項２７，３７，４４または４５に記載の映写ディスプレー。
【請求項４９】
前記第１の光映写部および前記第２の光映写部の双光映写部の近傍に配置される筆記手段をさらに備えたことを特徴とする請求項２７，３３，３４，３５，４４または４５に記載の映写ディスプレー。
【請求項５０】
前記筆記手段は、インク式ペンまたはグラフィックタブレットに用いるスタイラスであることを特徴とする請求項３６または４９に記載の映写ディスプレー。
【請求項５１】
光映写部からの光を映写すること、
前記光映写部を軸について回転させる一方で、前記光映写部を前記軸と遠近方向に振動させることにより、前記光映写部から映写される前記光を動かすこと、および
前記映写される光を、前記光映写部の前記動きと同期して変調すること
を含むことを特徴とする映像表示方法。
【請求項５２】
前記映写される光を変調することは、前記光映写部により生成される光を変調することを含むことを特徴とする請求項５１に記載の映像表示方法。
【請求項５３】
前記映写される光を変調することは、前記光映写部により伝達される光を変調することをさらに備えることを特徴とする請求項５１に記載の映像表示方法。